(57)【要約】      （修正有）【課題】生き餌及び海や川から釣り上げたばかりの魚への酸素供給や、鮮度保持かつ使用者がより携帯および使用し易い魚箱を提供する。【解決手段】多機能魚箱は、鮮度保持箱１とエア供給ポンプ３セットと電源供給セット４とを含み、該鮮度保持箱はボックス本体１１及びカバー１２を有し、該カバーが前記ボックス本体上には開閉自在に設けられ、該エア供給ポンプセットが前記鮮度保持箱に内蔵され、該電源供給セットが該エア供給ポンプセットに電気的に接続される。【選択図】図４
0003140075.tif 000002
【実用新案登録請求の範囲】
【請求項１】
ボックス本体及びカバーを有し、前記カバーが前記ボックス本体上には開閉自在に設けられた鮮度保持箱と、
前記鮮度保持箱に内蔵されたエア供給ポンプセットと、
前記鮮度保持箱に設けられ、前記エア供給ポンプセットに電気的に接続された電源供給セットと、を含む多機能魚箱。
【請求項２】
前記ボックス本体及び前記カバーの間の一辺には係合部材が設けられ、前記ボックス本体にはグリップが設けられ、前記カバーの一辺は連結部材で前記ボックス本体の頂部の一辺に連結され、前記カバーの上にエアホールが設けられ、前記鮮度保持箱には制御ボタンが設けられ、前記制御ボタンは前記エア供給ポンプセットと前記電源供給セットとの間を電気的に接続することを特徴とする請求項１に記載の多機能魚箱。
【請求項３】
前記カバーには第１の凹室が形成され、前記第１の凹室内に物置皿が配置され、前記物置皿の内部に間隔板で複数の物置空間が区画され、前記カバー上の前記物置皿と対応する位置に第１の上カバーが設けられ、前記第１の上カバーは連結部材で前記カバーに連結し、前記カバーと前記第１の上カバーの間の前記連結部材の対向側に係合部材が設けられることを特徴とする請求項１に記載の多機能魚箱。
【請求項４】
前記鮮度保持箱には第２の凹室が形成され、前記エア供給ポンプセットは前記第２の凹室内に設置され、前記鮮度保持箱上の前記エア供給ポンプセットに対応する位置に第２の上カバーが設けられ、前記第２の上カバーは鮮度保持箱上に気密に固定されることを特徴とする請求項１に記載の多機能魚箱。
【請求項５】
前記鮮度保持箱には第３の凹室が形成され、前記電源供給セットは前記第３の凹室内に設置され、前記鮮度保持箱上の前記電源供給セットに対応する位置に第３の上カバーが設けられ、前記第３の上カバーの一辺は前記第３の凹室の一辺に係止され、前記第３の上カバーの他の一辺は鮮度保持箱上に気密に固定されることを特徴とする請求項１に記載の多機能魚箱。
【請求項６】
前記エア供給ポンプセットはモータ及びエアバルブを含み、前記エアバルブはモータに接続し、かつ管路で前記ボックス本体に接続されることを特徴とする請求項１に記載の多機能魚箱。
【請求項７】
前記電源供給セットは、バッテリ、乾電池または太陽電池であることを特徴とする請求項１に記載の多機能魚箱。
【考案の詳細な説明】
【技術分野】
【０００１】
本考案は、多機能魚箱に係わり、特に、生き餌及び海や川から釣り上げたばかりの魚への酸素供給や、鮮度保持かつ使用者がより携帯および使用し易い魚箱構造を指すものである。
【背景技術】
【０００２】
時代の進歩に伴い、人々の休暇活動も益々多様化され、昔の食べ物を得るための漁獲から魚釣りは楽しみへと変換されつつある。釣りは魚を針に掛けられるように餌で誘わなければならず、昔はミミズを餌とし、水中での揺動により魚が食べに来るように誘うが、ミミズを掘ることは困難で、かつ魚を誘う効果が限られているため、いま、人々は生き魚や、えびなどの生き餌をも誘い餌とする。生き餌は餌鮮度保持箱８（図１に示す）内に入れなければならず、また、エア供給ポンプ９が外部に付けられ、エアを餌鮮度保持箱８内の水中に輸送し、水中のエア含有量を向上させる。該餌鮮度保持箱８内には海や川から釣り上げたばかりの魚も入れることができ、生き魚及び海や川から釣り上げたばかりの魚の酸素供給や、鮮度保持の目的を達成できる。
【０００３】
しかしながら、上記の餌鮮度保持箱８は、外部付け方式でエア供給ポンプ９を固定し、該エア供給ポンプ９が餌鮮度保持箱８の外部に配置されているため、使用者の携帯上の不便になり兼ねない。また外部付けエア供給ポンプ９も、固定不安定や揺動及び脱落し易い等の問題があり、使用上の不便になる。
【考案の開示】
【考案が解決しようとする課題】
【０００４】
そのため、本創作者は、前記欠点を改良するために、長年以来この領域で積み立てた経験により、専念な観察かつ研究をし、さらに学術理論の運用に合せ、やっと合理な設計且つ前記の欠点を有効に改良できた本考案を提案した。
【０００５】
本考案の主な目的は、生き餌及び海や川から釣り上げたばかりの魚への酸素供給や、鮮度保持かつ使用者がより携帯し易く、エア供給ポンプセットの固定不安定や揺動及び脱落等の問題を有さず、使用上、より便利である多機能魚箱を提供することにある。
【課題を解決するための手段】
【０００６】
前記目的を達成するため、本考案による多機能魚箱は、ボックス本体及びカバーを有し、前記カバーが前記ボックス本体上に開閉自在に設けられた鮮度保持箱と、前記鮮度保持箱に内蔵されたエア供給ポンプセットと、前記鮮度保持箱に設けられ、前記エア供給ポンプセットに電気的に接続された電源供給セットとを含む。
【考案の効果】
【０００７】
本考案は、以下の効果がある。本考案は、エア供給ポンプセットが鮮度保持箱に内蔵され、生き餌及び海や川から釣り上げたばかりの魚への酸素供給や鮮度保持の要求に応じることができ、他の外部付け構造を取り付ける必要はなく、エア供給の目的が達成でき、使用者がより携帯し易く、且つ内蔵されたエア供給ポンプセットは、固定不安定や揺動及び脱落等の問題を有さず、使用上にはより便利である。
【考案を実施するための最良の形態】
【０００８】
本考案の特徴および技術内容がより理解されるように、以下に本考案に関わる詳しい説明をする。添付図面を参照すれば深くかつ具体的に了解できると確信しているが、それらの添付図面は参考及び説明のみに使われ、本考案の主張範囲を狭義的に局限するものではないことは言うまでもないことである。
【０００９】
図２〜図４に示す本考案による多機能魚箱は、鮮度保持箱１、物置皿２、エア供給ポンプセット３、電源供給セット４および制御ボタン５を含む。該鮮度保持箱１はボックス本体１１及びカバー１２を有し、該ボックス本体１１は、頂部に開口状に形成されている中空体で、該カバー１２は、２つの連結部材１３によって該ボックス本体１１の頂部の一辺に連結される。該連結部材１３の構造はこれに限られず、該カバー１２が該ボックス本体１１の頂部のいずれかの一辺に連結されればよい。該カバー１２は該ボックス本体１１に対して、該ボックス本体１１の頂部が開口状及び閉鎖状になるように開閉動作できる。
【００１０】
該ボックス本体１１及び該カバー１２の間において、連結部材１３の対向側には係合部材１４が設けられる。該カバー１２が該ボックス本体１１に閉合された時に、該係合部材１４で該カバー１２を該ボックス本体１１に牢固に係止できるが、上記の係合部材１４の構造はこれに限られない。該ボックス本体１１には、使用者が該鮮度保持箱１を持ち上げるためのグリップ１５が連結されるが、該グリップ１５はこれに限られず、要求に応じて適当に変化できる。
【００１１】
該カバー１２の上にエアホール１２１が開設され、該エアホール１２１は該カバー１２の頂面及び底面を貫通し、該鮮度保持箱１内部の空気を流通及び排出できる。該カバー１２の頂面には、物置皿２、エア供給ポンプセット３および電源供給セット４を収納するため、第１の凹室１２２、第２の凹室１２３及び第３の凹室１２４が凹んで形成される。
【００１２】
該物置皿２の外形は、第１の凹室１２２に対応し、該物置皿２を組合わせる方式で該カバー１２の第１の凹室１２２内に収納できる。該物置皿２の内部には複数の間隔板２２で複数の物置空間２１を区画し、釣具や餌などの様々な品物を収納できる。該カバー１２上の該物置皿２に対応する位置に第１の上カバー１６が連結され、該第１の上カバー１６の一辺は２つの連結部材１６１で該カバー１２に連結され、該第１の上カバー１６は該物置皿２に対して開閉動作できる。該カバー１２及び第１の上カバー１６の間において、連結部材１６１に対向する一辺には係合部材１６２が設けられ、該第１の上カバー１６が該物置皿２に閉合された時に、該係合部材１６２で該第１の上カバー１６を該カバー１２に牢固に係止できる。
【００１３】
該エア供給ポンプセット３は、該カバー１２の第２の凹室１２３内に設置でき、該エア供給ポンプセット３を該カバー１２内に内蔵するが、該エア供給ポンプセット３のタイプはこれに限られない。本実施の形態では、該エア供給ポンプセット３はモータ３１及びエアバルブ３２を含む。該エアバルブ３２はモータ３１に接続し、かつ管路３３で該ボックス本体１１に適当に接続する。該モータ３１を駆動し回転させる時に、該モータ３１は、エアバルブ３２を運行させることで、管路３３を介して鮮度保持箱１内の水中に空気を輸送する。該エアバルブ３２の構造は従来技術であり、かつ該エア供給ポンプセット３の構造はこれに限られないため、ここでは詳しく説明しない。該カバー１２上の該エア供給ポンプセット３に対応する位置に第２の上カバー１７が設けられ、該第２の上カバー１７は該エア供給ポンプセット３に対して開閉動作できる。該第２の上カバー１７は、複数のネジ１７１などで該カバー１２上に気密的に固定でき、シールカバー１７２に合せてネジ１７１をカバーする。
【００１４】
該電源供給セット４は、バッテリや、乾電池または太陽電池などであり、そのタイプはこれに限らない。本実施の形態では、該電源供給セット４は、複数の乾電池４１であり、これらの乾電池４１は、該カバー１２の第３の凹室１２４内に設けられる。また該電源供給セット４は、導電シート及びリード線などの接続部材（図示せず）を介してエア供給ポンプセット３のモータ３１に電気的に接続し、該電源供給セット４の電力をモータ３１に輸送でき、該モータ３１を駆動し回転させる。該カバー１２上の該電源供給セット４に対応する位置に第３の上カバー１８が設けられる。該第３の上カバー１８は該電源供給セット４に対して開閉動作でき、該乾電池４１の交換は可能になる。該第３の上カバー１８の一辺は、第３の凹室１２４の一辺に係合し、該第３の上カバー１８の他の一辺は、１つのネジ１８１などで該カバー１２上に気密に固定できる。
【００１５】
該制御ボタン５は該カバー１２上に設けられる。該制御ボタン５は、該エア供給ポンプセット３と該電源供給セット４との間に電気的に接続し、スイッチ素子としてモータ３１の運行を制御する。このようにして、本考案の多機能魚箱を形成する。
【００１６】
使用者が該制御ボタン５を押し、該エア供給ポンプセット３のモータ３１を制御し回転させると、該モータ３１は、エアバルブ３２を運行させることで、管路３３を介して鮮度保持箱１内の水中に空気を輸送し、水中のエア含有量を増加させる。
【００１７】
本考案は、エア供給ポンプセット３が鮮度保持箱１に内蔵され、生き餌及び海や川から釣り上げたばかりの魚への酸素供給や鮮度保持の要求に応じることができ、他の外部付け構造を取り付ける必要はなく、エア供給の目的が達成できる。使用者がより携帯し易く、且つ内蔵されたエア供給ポンプセット３が鮮度保持箱１の内部に固定されるため、該エア供給ポンプセット３は、固定不安定や揺動及び脱落等の問題を有さず、使用上にはより便利である。
【００１８】
また、本考案は、物置皿２、エア供給ポンプセット３及び電源供給セット４などを該鮮度保持箱１のカバー１２に設けたため、ボックス本体１１の元の設計に影響されず、ボックス本体１１はより大きい容量を保持でき、生き餌及び海や川から釣り上げたばかりの魚を比較的に多く収納できる。
【００１９】
以上の説明は、単に本考案の好ましい具体的な実施の形態に過ぎず、本考案の請求の範囲を限定するものではない。いずれの当該分野における通常の知識を有する専門家が本考案の分野の中で、適当に変更や修飾などを実施できるが、それらの実施が本考案の主張範囲内に含まれるべきことは言うまでもないことである。
【図面の簡単な説明】
【００２０】
【図１】従来の餌鮮度保持箱を示す斜視図である。
【図２】本考案による魚箱を示す斜視図である。
【図３】本考案による魚箱を示す斜視外観図である。
【図４】本考案による魚箱を示す斜視分解図である。
【符号の説明】
【００２１】
１  鮮度保持箱
２  物置皿
３  エア供給ポンプ
４  電源供給セット
５  制御ボタン
８  餌鮮度保持箱
９  エア供給ポンプ９
１１  ボックス本体
１２  カバー
１３  連結部材
１４  係合部材
１５  グリップ
１６  第１の上カバー
１７  第２の上カバー
１８  第３の上カバー
２１  物置空間
２２  間隔板
３１  モータ
３２  エアバルブ
３３  管路
４１  乾電池
１６１  連結部材
１６２  係合部材
１７１  ネジ
１７２  シールカバー
１８１  ネジ
１２１  エアホール
１２２  第１の凹室
１２３  第２の凹室
１２４  第３の凹室
【図１】
0003140075.tif 000003
【図２】
0003140075.tif 000004
【図３】
0003140075.tif 000005
【図４】
0003140075.tif 000006